(57)【特許請求の範囲】
【請求項１】
戸パネルと、
前記戸パネルの裏面に設けられた補強体と、
前記戸パネルと前記補強体とを接着する接着剤と、
前記戸パネルと前記補強体の間に配置された熱膨張剤とを備えたことを特徴とするエレベータの乗場戸。
【請求項２】
前記熱膨張剤が無機質材であることを特徴とする請求項１記載のエレベータの乗場戸。
【請求項３】
前記戸パネルと前記補強体とを接続する継ぎ片を更に備えたことを特徴とする請求項１又は２記載のエレベータの乗場戸。
【請求項４】
前記補強体に前記熱膨張剤が挿入される凹状部が設けられていることを特徴とする請求項１〜３のいずれかに記載のエレベータの乗場戸。
【請求項５】
前記接着剤が熱可塑性接着剤であることを特徴とする請求項１〜４のいずれかに記載のエレベータの乗場戸。
【発明の詳細な説明】
技術分野
この発明はエレベータに使用する乗場戸に関するものである。
背景技術
従来から、エレベータの乗場戸の剛性を高めるため、戸パネルの裏面に補強体を設けたものが知られている。図６〜図１０に基いて、従来のエレベータの乗場戸の構成を説明する。
図６はエレベータの乗場の出入口部を示す正面図である。出入口部においては、２枚の戸パネル１１からなる乗場戸によって手前の乗場フロア１６とエレベータのかご室が昇降する昇降路の間が仕切られている。出入口部の周囲には、出入口柱１４によって枠が設けられている。
図７は、図６の右側面の断面を示す模式図である。戸パネル１１は、下部に設けられた敷居１５の溝と嵌合しており、図７の紙面と垂直方向に移動可能とされている。
図８は戸パネル１１の裏面、すなわち昇降路側の面を示す斜視図である。図８に示すように、戸パネル１１の意匠面と反対側の面には、戸パネル１１の剛性を増すために補強体１２が固定されている。図９は、図８の一点鎖線ＩＩ−ＩＩ’線に沿った断面を示す図である。図９に示すように、戸パネル１１と補強体１２とは金属接着剤１３によって接着されている。金属接着剤としては、一般に非熱可塑性接着剤が使用されている。このように、従来のエレベータの乗場戸では、戸パネル１１と補強体１２とを固定して一体化することにより剛性が高められている。
しかしながら、上述した従来の技術では、補強体１２によって戸パネル１１の剛性を高めることができる反面、火災発生時などに戸パネル１１が高熱で変形するという問題が生じていた。
図１０は、図７の状態から高熱によって戸パネル１１が変形した状態を示す模式図である。図１０に示すように、エレベータが据え付けられた建物に火災が発生した場合、エレベータの乗場フロア１６側から戸パネル１１が加熱され、戸パネル１１、補強体１２が熱膨張する。この際、戸パネル１１と補強体１２の熱伝導率、形状の違い等の要因から両者の熱膨張の程度は異なるが、金属接着剤１３によって戸パネル１１と補強体１２が完全に一体化されているため、結果として戸パネル１１に反りが生じてしまう。
このため、図１０に示すように、出入口部において出入口柱１４と戸パネル１１間の隙間が大きくなり、また、２枚の戸パネル１１間の隙間も大きくなり、この隙間から火災による煙、炎がエレベータの昇降路、昇降機に入り、エレベーターとしての耐火性能が維持できなくなるという問題が生じていた。そして、昇降路に煙、炎が入ることにより建物の他の階へ火災が延焼する虞も生じていた。
従って、本発明は、建物に火災が発生した場合であっても、高熱による戸パネルの反り、変形の発生を抑え、煙、炎の漏洩を抑止できるエレベータの乗場戸を提供することを目的とする。
発明の開示
本発明は、剛性を高めるための補強体を備えたエレベータの乗場戸において、戸パネルと、戸パネルの裏面に設けられた補強体と、戸パネルと補強体とを接着する接着剤と、戸パネルと前記補強体の間に配置された熱膨張剤とを備えたものである。火災などによって戸パネルが加熱された場合、戸パネルと補強体の間の熱膨張剤が膨張して戸パネルと補強体を分離するため、戸パネルと補強体の熱膨張率、形状が異なっていても戸パネルに反り、変形が発生することがない。従って、火災時に乗場戸パネルが加熱されても、エレベータの出入口部から炎、煙が昇降路に入ることを抑止でき、防火性能、安全性を向上させることができる。
また、本発明は、上述の改良されたエレベータの乗場戸において、熱膨張剤を無機質材としたものである。熱膨張剤に無機質材を使用することで、戸パネルの裏側においても発煙や炎の発生を抑止でき、更に防火性能を高めることができる。
また、本発明は、上述の改良されたエレベータの乗場戸において、戸パネルと補強体とを継ぎ片によって接続したものである。火災発生時に熱膨張剤が膨張して戸パネルと補強体を分離した場合でも、補強体は継ぎ片によって戸パネルと接続されているため、補強体が昇降路等に落下することを抑止できる。
また、本発明は、上述の改良されたエレベータの乗場戸において、補強体に熱膨張剤が挿入される凹状部が設けられたものである。補強体に凹状部を設けて熱膨張体が補強体と戸パネルの間で囲まれるようにしたため、熱膨張体の体積膨張により補強体を分離する方向に確実に力を加えることができる。
また、本発明は、上述の改良されたエレベータの乗場戸において、接着剤を熱可塑性接着剤としたものである。火災発生時に熱可塑性の接着剤が軟化するため、熱膨張材の体積増加により確実に戸パネルと補強体を分離することができる。
発明を実施するための最良の形態
本発明をより詳細に説述するために、添付の図面に従ってこれを説明する。
図１はこの発明の第１の実施の形態にかかるエレベータの乗場戸を示す斜視図である。また、図２は、図１の一点鎖線Ｉ−Ｉ’線に沿った断面を示す図である。図１及び図２に示すように、戸パネル１の裏面には補強体２が設けられており、補強体２と戸パネル１とは接着剤３によって接着されている。ここで、この発明では、接着剤３として熱可塑性接着剤を用いている。
戸パネル１と補強体２との間には、熱膨張剤４が挿入されている。熱膨張剤４は発泡性の体積膨張率の大きな材料からなり、好適には無機質の材料から構成されている。補強体２の戸パネル１側には折り曲げにより凹状部２ａが形成されており、この凹状部に熱膨張剤４が挿入されている。
このような構成の戸パネル１が火災等によって加熱された状態を図３に示す。図３は、図２と同様に図１の一点鎖線Ｉ−Ｉ’線に沿った断面を示す図である。図３に示すように、戸パネル１が加熱されると、熱可塑性の接着剤３が軟化し、戸パネル１と補強体２の接着の強度が弱められる。一方、熱膨張剤４は加熱によって膨張し体積が増加する。このため、熱膨張剤４から補強体２、戸パネル１に対して、補強体２と戸パネル１を互いに引き離す方向に力が加えられる。そして、熱膨張剤４による補強体２と戸パネル１を引き離す力が、接着剤３による補強体２と戸パネル１の間の接着力より大きくなると、図３に示すように補強体２が戸パネル１から分離する。そして、戸パネル１と補強体２を分離することにより、補強体２と戸パネル１の熱膨張率、形状の違いに起因する戸パネル１の反り、変形を抑止することができる。
これにより、戸パネル１の平面性が加熱される前と同等に維持されるため、戸パネル１と乗場の出入口との間に隙間を生じさせることがない。また、１つの出入口を複数の戸パネル１で開閉するエレベータにおいても、戸パネル１間相互の間に隙間を生じさせることがない。従って、エレベータ乗場の出入口部から昇降路、昇降機に向かって火災による煙、炎が侵入することを抑止できる。
また、熱膨張剤４を無機質の材料とすることにより、戸パネルの裏側で発煙や炎が発生することを抑止でき、防火性能を高めることができる。
次に、図４及び図５に基いて、この発明の第２の実施の形態にかかるエレベータの乗場戸について説明する。図４及び図５に示すように、第２の実施の形態のエレベータの乗場戸は、第１の実施の形態の戸パネル１と補強体２を、継ぎ片５により１ヶ所又は複数の箇所で接続したものである。
図４は、加熱される前の戸パネル１、補強体２を示す断面図である。図４に示すように、補強体２と戸パネル１を接続する継ぎ片５は例えば金属又は無機材料の板材、線材からなり、両端部が補強体２と戸パネル１にそれぞれ固着されている。継ぎ片５以外の構成は第１の実施の形態と同様である。
図５は、第２の実施の形態のエレベータの乗場戸が加熱された状態を示している。図３の場合と同様に乗場戸が加熱されると熱膨張剤４が膨張し、補強体２が戸パネル１から引き離される。この際、第２の実施の形態では、継ぎ片５によって補強体２と戸パネル１とが接続されているため、接着剤３による接着部が剥がされても補強体２が戸パネル１から完全に分割してしまうことはない。従って、火災時に補強体２が戸パネル１から分離して昇降路内を落下したり、落下により通信ケーブル、かご室等の他の部材に損傷が与えられることを抑止できる。
産業上の利用可能性
以上のように、この発明にかかるエレベータの乗場戸は、火災発生時など戸パネルが加熱された場合に、エレベータの出入口部から炎、煙が昇降路に入ることを抑止するものであり、防火性能、安全性を高めたエレベータの乗場戸として多種のエレベータ、昇降機に有用である。
【図面の簡単な説明】
図１は、この発明の第１の実施の形態にかかるエレベータの乗場戸を示す斜視図である。
図２は、この発明の第１の実施の形態にかかるエレベータの乗場戸を示す水平断面図である。
図３は、この発明の第１の実施の形態にかかるエレベータの乗場戸が加熱された状態を示す水平断面図である。
図４は、この発明の第２の実施の形態にかかるエレベータの乗場戸を示す水平断面図である。
図５は、この発明の第２の実施の形態にかかるエレベータの乗場戸が加熱された状態を示す水平断面図である。
図６は、従来のエレベータの乗場戸の正面の外観を示す模式図である。
図７は、従来のエレベータの乗場戸の側面を示す側断面図である。
図８は、従来のエレベータの乗場戸を示す斜視図である。
図９は、従来のエレベータの乗場戸を示す水平断面図である。
図１０は、従来のエレベータの乗場戸が加熱され、戸パネルが反った状態を示す側断面図である。
【図１】
0004821089.tif 000002
【図２】
0004821089.tif 000003
【図３】
0004821089.tif 000004
【図４】
0004821089.tif 000005
【図５】
0004821089.tif 000006
【図６】
0004821089.tif 000007
【図７】
0004821089.tif 000008
【図８】
0004821089.tif 000009
【図９】
0004821089.tif 000010
【図１０】
0004821089.tif 000011